(57)【要約】【課題】本発明は、断熱性に優れたコンクリートブロックであって、目地に塗られたモルタルからであっても、コンクリートブロックの内部に容易に雨水が浸潤させないコンクリートブロック（遮水ブロック）を提供することを課題とする。【解決手段】内部に側面壁に沿って仕切り壁が設けられ、２つの側面壁と仕切り壁との間のそれぞれに空洞部が形成されており、外気側の空洞部を形成する連結壁の底面の高さが、外気側の側面壁の底面よりも高いことを特徴とするコンクリートブロックである。【選択図】  図３
2016204976.tif 000002
【特許請求の範囲】
【請求項１】
内部に側面壁に沿って仕切り壁が設けられ、
２つの側面壁と仕切り壁との間のそれぞれに空洞部が形成されており、
外気側の空洞部を形成する連結壁の底面の高さが、外気側の側面壁の底面よりも高い
ことを特徴とするコンクリートブロック。
【請求項２】
内部に側面壁に沿って仕切り壁が設けられ、
２つの側面壁と仕切り壁との間のそれぞれに空洞部が形成されており、
外気側の側面壁の底面部分の幅（厚み）が、外気側の側面壁の天面部分の幅（厚み）よりも大きい
ことを特徴とするコンクリートブロック。
【請求項３】
内部に側面壁に沿って仕切り壁が設けられ、
２つの側面壁と仕切り壁との間のそれぞれに空洞部が形成されており、
外気側の空洞部を形成する連結壁の底面の高さが、外気側の側面壁の底面よりも高く、
外気側の側面壁の底面部分の幅（厚み）が、外気側の側面壁の天面部分の幅（厚み）よりも大きい
ことを特徴とするコンクリートブロック。
【発明の詳細な説明】
【技術分野】
【０００１】
本発明は、建築用、住宅用などに使われる、配筋のための空洞をもつコンクリートブロックに関する。
【背景技術】
【０００２】
従来から、コンクリートブロックは、建物の敷地を内と外に別ける境界線を表す垣根としての塀、舗装、擁壁のほか、建築用、住宅用など、幅広い用途に利用されてきた。
コンクリートは、木材に比べて耐火性、耐風性が高いことから、近年は、コンクリートブロック造の住宅も増えている。
しかし、コンクリートブロックを住宅の壁面に用いる場合、特に寒冷地では、外壁側が冷やされることで室内側に結露が発生しやすく、そのために室内に湿気が籠り易く、カビが発生する原因になっていた。
そこで、外断熱を施工する例も増えているが、例えば、特許文献１には、住宅の壁面を構成するコンクリートブロックに関し、コンクリートブロックの中央部分に形成した空洞部と側面間に断熱用空洞部を形成し、空洞部に断熱材を充填した断熱コンクリートブロックが開示されている。
コンクリートブロックを壁面に利用した住宅は、夏は暑く、冬は寒いと言われるが、特許文献１に係る考案は、コンクリートブロックに静止空気層となる空洞部を形成し、さらに熱伝導率の低い断熱材を充填することで、コンクリートブロックの熱伝導率を下げ、断熱性能を高めることができる。
【先行技術文献】
【特許文献】
【０００３】
【特許文献１】登録実用新案第３００５１６１号公報
【発明の概要】
【発明が解決しようとする課題】
【０００４】
このように、コンクリートブロックは、耐火性、耐風性、断熱性に優れた建築材料であるが、コンクリートブロックの空洞に配筋されている鉄筋の腐食が、コンクリートブロックの寿命を短くすることが知られている。
鉄筋の腐食には、コンクリートブロックの空洞に滞留した水が影響することが分かっており、そのため、施工時にはコンクリートブロックの内部に水が入らないようにすることが強く求められるほか、施工後においても雨水がコンクリートブロックの内部に浸透しないように防水処理を施すなどの工夫もなされているが、最も望ましい鉄筋の腐食対策は、コンクリートブロックの構造を、コンクリートブロックの内部に水が滞留しないように空洞部の水を常に排出できる構造にすることである。
しかし、どのような構造に設計しても、コンクリートブロックの目地に塗られたモルタルから雨水がコンクリートブロックの内部に浸潤することがあり、このような方法でコンクリートブロックの内部に水が溜まってしまうと、鉄筋の腐食を防ぐことはできなくなってしまう。
【０００５】
そこで、本発明は、上記の問題に鑑み、断熱性に優れたコンクリートブロックであって、目地に塗られたモルタルからであっても、コンクリートブロックの内部に容易に雨水が浸潤させないコンクリートブロック（遮水ブロック）を提供することを課題とする。
【課題を解決するための手段】
【０００６】
本発明は、
内部に側面壁に沿って仕切り壁が設けられ、
２つの側面壁と仕切り壁との間のそれぞれに空洞部が形成されており、
外気側の空洞部を形成する連結壁の底面の高さが、外気側の側面壁の底面よりも高い
ことを特徴とするコンクリートブロックである。
【０００７】
本発明は、内部に側面壁に沿って仕切り壁が設けられ、２つの側面壁と仕切り壁との間のそれぞれに空洞部が形成された断熱性が高いコンクリートブロックにおいて、遮水効果を高めるため、外気側の空洞部を形成する連結壁の底面の高さを、外気側の側面壁の底面よりも高くしたことを特徴とする。
目地に塗られたモルタルからコンクリートブロック内部に浸潤する雨水は、コンクリートブロックを伝わりながら周囲のコンクリートブロックを濡らし、徐々にコンクリートブロック内部に浸潤していく。
しかし、本発明に係るコンクリートブロックは、コンクリートブロック内部を仕切り壁によって２層に隔てているため、室内側（外気側と反対側）の層にまでは簡単には雨水は浸潤しないことから、目地に塗られたモルタルからコンクリートブロック内部に浸潤する雨水を外気側の層で食い止めることができれば、室内に湿気が籠ることもなく、室内でのカビの発生の原因にもならず、遮水を実現できる。
そこで、目地に塗られたモルタルからコンクリートブロック内部に浸潤する雨水を外気側の層で食い止めるため、外気側の空洞部を形成する連結壁の底面の高さを、外気側の側面壁の底面よりも高くした。
これは、外気側の空洞部を形成する連結壁の底面の高さが、外気側の側面壁の底面よりも高いことで、最初に外気側の側面壁の底面に浸潤する雨水が、下段に積まれたコンクリートブロックの外気側の側面壁に伝わることはあっても、外気側の空洞部を形成する連結壁に伝わらないようにしたものである。
雨水がコンクリートブロック内部を浸潤するといっても、重力に反し、低いところから高いところに雨水が浸潤する量は多くは無いため、最初に雨水が浸潤する外気側の側面壁の底面よりも、外気側の空洞部を形成する連結壁の底面を高くすることで、外気側の空洞部を形成する連結壁にまで浸潤してくる雨水の量を極めて少なくすることができる。
これにより、コンクリートブロックの遮水効果を高めることができる。
【０００８】
本発明は、
内部に側面壁に沿って仕切り壁が設けられ、
２つの側面壁と仕切り壁との間のそれぞれに空洞部が形成されており、
外気側の側面壁の底面部分の幅（厚み）が、外気側の側面壁の天面部分の幅（厚み）よりも大きい
ことを特徴とするコンクリートブロックである。
【０００９】
本発明は、内部に側面壁に沿って仕切り壁が設けられ、２つの側面壁と仕切り壁との間のそれぞれに空洞部が形成された断熱性が高いコンクリートブロックにおいて、遮水効果を高めるため、外気側の側面壁の幅（厚み）を、天面よりも底面の幅を大きくしたことを特徴とする。
目地に塗られたモルタルからコンクリートブロック内部に浸潤する雨水は、コンクリートブロックを伝わりながら周囲のコンクリートブロックを濡らし、徐々にコンクリートブロック内部に浸潤していく。
しかし、本発明に係るコンクリートブロックは、コンクリートブロック内部を仕切り壁によって２層に隔てているため、室内側（外気側と反対側）の層にまでは簡単には雨水は浸潤しないことから、目地に塗られたモルタルからコンクリートブロック内部に浸潤する雨水を外気側の層で食い止めることができれば、室内に湿気が籠ることもなく、室内でのカビの発生の原因にもならず、遮水を実現できる。
そこで、目地に塗られたモルタルからコンクリートブロック内部に浸潤する雨水を外気側の層で食い止めるため、外気側の側面壁の幅（厚み）を、天面よりも底面の幅を大きくした。
これは、外気側の側面壁の幅（厚み）が、天面よりも底面の幅が大きいことで、最初に外気側の側面壁の底面に浸潤する雨水が、下段に積まれたコンクリートブロックの外気側の側面壁の天面から鉛直下方に伝わることはあっても、外気側の側面壁の底面から鉛直上方に伝わらないようにしたものである。
雨水がコンクリートブロック内部を浸潤するといっても、重力に反し、低いところから高いところに雨水が浸潤する量は多くは無いため、最初に雨水が浸潤する外気側の側面壁の底面の幅（厚み）を、天面の幅（厚み）よりも大きくすることで、外気側の空洞部を形成する連結壁にまで浸潤してくる雨水の量を極めて少なくすることができる。
これにより、コンクリートブロックの遮水効果を高めることができる。
【００１０】
本発明は、
内部に側面壁に沿って仕切り壁が設けられ、
２つの側面壁と仕切り壁との間のそれぞれに空洞部が形成されており、
外気側の空洞部を形成する連結壁の底面の高さが、外気側の側面壁の底面よりも高く、
外気側の側面壁の底面部分の幅（厚み）が、外気側の側面壁の天面部分の幅（厚み）よりも大きい
ことを特徴とするコンクリートブロックである。
【００１１】
本発明は、前記の２つの特徴を備えるコンクリートブロックである。
これにより、コンクリートブロックの一層の遮水効果を高めることができる。
【発明の効果】
【００１２】
本発明は、断熱性が高いだけでなく、遮音性、遮水性に優れたコンクリートブロックを提供できる。
【図面の簡単な説明】
【００１３】
【図１】コンクリートブロックの正面図
【図２】図１の背面図
【図３】図１の右側面図
【図４】図１の左側面図
【図５】図１の平面図
【図６】図１の底面図
【図７】図６のＡ−Ａ’線断面図
【図８】図６のＢ−Ｂ’線断面図
【図９】図１のコンクリートブロックを上下に積重ねた実施例の側面図
【図１０】コンクリートブロックの別の実施例の右側面図
【図１１】図１０のコンクリートブロックを上下に積重ねた実施例の側面図
【図１２】コンクリートブロックの別の実施例の右側面図
【図１３】図１２のコンクリートブロックを上下に積重ねた実施例の側面図
【発明を実施するための形態】
【００１４】
図１乃至６は、外気側の空洞部を形成する連結壁の底面を外気側の側面壁の底面よりも高くしたコンクリートブロックを６方向から正投影図法により表した図であり、図７及び８は、図６のＡ−Ａ’線、Ｂ−Ｂ’線の各断面を表した図であり、図９は、上下に積重ねた状態を表した図である。
【００１５】
外気側の側面壁１と室内側の側面壁２の間には、側面壁に沿って仕切り壁３が設けられている。
仕切り壁３が設けられていることで、外気側と室内側のそれぞれの側面壁との間に２つの層が形成されることになる。
そして、２つの層には、それぞれ空洞部４が形成されている。
それぞれの空洞部は、連結壁５によって、複数の空洞が形成されている。
【００１６】
外気側の側面壁１と仕切り壁３によって作られた層の空洞部４を形成する連結壁５は、底面６の高さが、外気側の側面壁の底面７よりも高くなっている。
連結壁５の底面６の高さは、外気側の側面壁の底面７よりも５ｍｍ以上高いことが望ましい。
５ｍｍ以下では、目地に塗られたモルタルからコンクリートブロック内部に浸潤してきた雨水が、外気側の側面壁の底面７から連結壁５の底面６まで伝わってくることがあるためである。
外気側の空洞部４を形成する連結壁５の底面６の高さが、外気側の側面壁１の底面７よりも高いことで、仮に雨水が、目地に塗られたモルタルからコンクリートブロック内部に浸潤してきても、下段に積まれたコンクリートブロックの外気側の側面壁１に伝わることはあっても、外気側の空洞部４を形成する連結壁５には伝わらない。
外気側の側面壁１と仕切り壁３の間の空洞部４の連結壁５まで伝わらなければ、室内に湿気が籠ることもなく、室内でのカビの発生の原因にもならず、十分な遮水効果を得られる。
【００１７】
図１０及び１１は、外気側の側面壁の底面部分の幅（厚み）を外気側の側面壁の天面部分の幅（厚み）よりも大きくしたコンクリートブロックの右側面図と、上下に積重ねた状態を表した図である。
【００１８】
図１０及び１１のコンクリートブロックは、図１乃至９のコンクリートブロックと、外気側の側面壁の底面部分の幅（厚み）を外気側の側面壁の天面部分の幅（厚み）よりも大きくした点において異なる。
外気側の側面壁１の幅（厚み）が、天面８よりも底面７の幅が大きいことで、最初に外気側の側面壁１の底面７に浸潤する雨水が、下段に積まれたコンクリートブロックの外気側の側面壁１の天面８から鉛直下方に伝わることはあっても、外気側の側面壁１の底面７から鉛直上方には伝わらない。
その結果、目地に塗られたモルタルからコンクリートブロック内部に浸潤してきた雨水が、外気側の側面壁１の底面７から連結壁５の底面６まで伝わってくることは極めて少なくなる。
外気側の側面壁１の底面７の幅（厚み）は、天面８の幅（厚み）よりも３ｍｍ以上大きいことが望ましい。
３ｍｍ以下では、目地に塗られたモルタルからコンクリートブロック内部に浸潤してきた雨水が、外気側の側面壁１の底面７から連結壁５の底面６まで伝わってくることがあるためである。
外気側の側面壁１と仕切り壁３の間の連結壁５まで伝わらなければ、室内に湿気が籠ることもなく、室内でのカビの発生の原因にもならず、十分な遮水効果を得られる。
【００１９】
図１２及び１３は、外気側の空洞部を形成する連結壁の底面を外気側の側面壁の底面よりも高くし、且つ、外気側の側面壁の底面部分の幅（厚み）を外気側の側面壁の天面部分の幅（厚み）よりも大きくしたコンクリートブロックの右側面図と、上下に積重ねた状態を表した図である。
【００２０】
外気側の側面壁１の幅（厚み）が、天面８よりも底面７の幅が大きいことで、最初に外気側の側面壁１の底面７に浸潤する雨水が、下段に積まれたコンクリートブロックの外気側の側面壁１の天面８から鉛直下方に伝わることはあっても、外気側の側面壁１の底面７から鉛直上方には伝わらない。
その結果、目地に塗られたモルタルからコンクリートブロック内部に浸潤してきた雨水が、外気側の側面壁１の底面７から連結壁５の底面６まで伝わってくることは極めて少なくなる。
さらに、外気側の空洞部４を形成する連結壁５の底面６の高さが、外気側の側面壁１の底面７よりも高くなっているため、下段に積まれたコンクリートブロックの外気側の側面壁１に伝わることはあっても、外気側の空洞部４を形成する連結壁５にまで伝わるようなことは極めて少ない。
外気側の側面壁１と仕切り壁３の間の連結壁５まで伝わらなければ、室内に湿気が籠ることもなく、室内でのカビの発生の原因にもならず、十分な遮水効果を得られる。
【００２１】
以上のとおり、本発明は、遮水性に優れたコンクリートブロックであり、室内に湿気が籠ることもなく、室内でのカビの発生の原因にもならず、快適な居住環境をもたらす建築材料になり得る。
また、仕切り壁によって２層の空洞部を形成していることで、断熱性が高いだけでなく、遮音性にも優れている。
【符号の説明】
【００２２】
１  外気側の側面壁
２  室内側の側面壁
３  仕切り壁
４  空洞部
５  連結壁
６  底面（連結壁）
７  底面（外気側の側面壁）
８  天面（外気側の側面壁）
【図１】
2016204976.tif 000003
【図２】
2016204976.tif 000004
【図３】
2016204976.tif 000005
【図４】
2016204976.tif 000006
【図５】
2016204976.tif 000007
【図６】
2016204976.tif 000008
【図７】
2016204976.tif 000009
【図８】
2016204976.tif 000010
【図９】
2016204976.tif 000011
【図１０】
2016204976.tif 000012
【図１１】
2016204976.tif 000013
【図１２】
2016204976.tif 000014
【図１３】
2016204976.tif 000015